(57)【要約】【課題】本発明は調節可能且つ携帯に便利なハンガーを開示した。【解決手段】ハンガー本体を含み、前記ハンガー本体の上端面には固定ブロックが固定的に設置され、固定ロッドにはフックが回転できるように設置され、前記ハンガー本体の中には上方に開口しており、且つ外部空間と連通している押し溝が設置され、前記押し溝の外側には解錠装置が設置され、前記解錠装置が前記押し出し板と当接することができ、昇降溝の中にはロックブロックがスライドできるように設置され、前記ロックブロックの上端面と前記解錠装置とが固定的に連結され、本発明は構成が簡単で、操作が便利であり、フックが収縮でき、それによりハンガーが取るスペースを減らし、洗濯物のサイズと干し乾かす区域の大きさによりハンガーを調節することができる。【選択図】図１
2020151434.tif 000002
【特許請求の範囲】
【請求項１】
ハンガー本体を含み、前記ハンガー本体の上端面には固定ブロックが固定的に設置され、前記固定ブロックの中には両側に貫通している回転チャンバが設置され、前記回転チャンバと外部空間との間には開き溝が連通して設置され、前記開き溝の中には固定ロッドが固定的に設置され、前記固定ロッドにはフックが回転できるように設置され、前記フックが前記開き溝の中に回転できるように折り畳まれており、前記ハンガー本体の中には上方に開口しており、且つ外部空間と連通している押し溝が設置され、前記押し溝の中には上端が前記回転チャンバの中に伸びているスプラインスリーブがスライドできるように設置され、前記回転チャンバの中の前記スプラインスリーブの上端面には押しブロックが固定的に設置され、前記押し溝の中の前記スプラインスリーブには押し出し板が回転できるように設置され、前記押し出し板の上端面と前記押し溝の上端壁との間には両側が対称である伸縮ばねが固定的に設置され、前記押し溝の外側には解錠装置が設置され、前記解錠装置が前記押し出し板と当接することができ、前記押し溝の外側には両側が対称である昇降溝が設置され、前記昇降溝の中にはロックブロックがスライドできるように設置され、前記ロックブロックの下端面は歯状であり、前記ロックブロックの上端面と前記解錠装置とが固定的に連結され、前記昇降溝の下側には調節溝が連通して設置され、前記調節溝の中には前記ロックブロックと噛み合って連結されている調節ブロックがスライドできるように設置され、両側の前記調節溝の間には調節装置が設置され、前記調節装置と前記調節ブロックとが固定的に連結され、前記調節装置の上端が前記スプラインスリーブと連結されることができ、前記調節溝の下側と外部空間とを連通しているガイドスライド溝が設置され、前記調節ブロックの下端面には下端が前記ガイドスライド溝を貫通しているガイドスライドブロックが固定的に設置され、両側の前記ガイドスライドブロックの下端にはそれぞれ衣服掛けロッドとぶら下がりロッドとが固定的に連結され、前記衣服掛けロッドと前記ぶら下がりロッドとの間がスライドできるように連結され、前記衣服掛けロッド及び前記ぶら下がりロッドにはいずれも上方に開口した掛け溝が固定的に設置される；前記フックを外側に置かれたロープ又は竿掛けに掛け、前記押しブロックを回転させ、それにより前記調節装置が作動し、前記洗濯物のサイズにより前記ハンガーを広げる大きさを調節することを特徴とする調節可能且つ携帯に便利なハンガー。
【請求項２】
前記解錠装置は、両側が対称であり、且つ前記押し溝と連通しているスライドロッド溝を含み、前記スライドロッド溝の中には連結スライドロッドがスライドできるように設置され、前記連結スライドロッドの上端面には復帰部品が固定的に設置され、前記スライドロッド溝と前記調節溝との間には解錠スライド溝が連通して設置され、前記解錠スライド溝の中には解錠固定ロッドがスライドできるように設置され、前記解錠固定ロッドの中には水平に貫通している斜面溝が設置され、前記斜面溝が前記連結スライドロッドのうち前記押し溝から離れている一端と当接しており、前記解錠固定ロッドの上端面と前記解錠スライド溝の上端壁との間には連結ばねが固定的に設置され、前記解錠固定ロッドの下端が前記調節溝の中に伸びており、且つ前記ロックブロックと固定的に連結される；前記押し出し板が下降して前記連結スライドロッドを押して逆方向にスライドさせ、それにより前記解錠固定ロッドが上昇し、それにより前記ロックブロックが前記調節ブロックとの噛み合いから離脱して前記調節ブロックを解錠することを特徴とする請求項１に記載の調節可能且つ携帯に便利なハンガー。
【請求項３】
前記調節装置は噛み合いチャンバを含み、前記噛み合いチャンバと前記押し溝との間にはスプライン回転溝が連通して設置され、前記噛み合いチャンバの中には上端が前記スプライン回転溝の中に伸びており、且つ前記スプラインスリーブとスプラインにより連結されることができるスプライン軸が回転できるように設置され、前記噛み合いチャンバの中の前記スプライン軸には噛み合いギヤが固定的に設置され、前記噛み合いチャンバの片側にはプッシュ溝が連通して設置され、前記プッシュ溝の中には前記噛み合いギヤと噛み合って連結されている推し動かしラックがスライドできるように設置され、前記プッシュ溝と片側の前記調節溝との間には連結溝が連通して設置され、前記連結溝の中には前記推し動かしラックと同じ側の前記調節ブロックとを固定的に連結する連結ブロックがスライドできるように設置され、前記噛み合いチャンバのうち前記プッシュ溝から離れている片側にはプッシュチャンバが連通して設置され、前記プッシュチャンバの中には前記噛み合いギヤと噛み合って連結されている連結ラックがスライドできるように設置され、前記プッシュチャンバと反対側の前記調節溝との間にはスライド溝が連通して設置され、前記スライド溝の中には前記連結ラックと同じ側の前記調節ブロックとを固定的に連結する固定連結ブロックがスライドできるように設置される；前記噛み合いギヤを回転させ、それにより前記推し動かしラックが前記連結ラックと逆方向で又は向かい合って移動し、前記調節ブロックを移動連動させ、前記衣服掛けロッド及び前記ぶら下がりロッドの位置を調節できることを特徴とする請求項１に記載の調節可能且つ携帯に便利なハンガー。
【発明の詳細な説明】
【技術分野】
【０００１】
本発明は日用品技術分野に関わり、具体的には調節可能且つ携帯に便利なハンガーである。
【背景技術】
【０００２】
既存の携帯に便利なハンガーは、折り畳まれて収縮することができるが、広げられたハンガーの大きさが固定されており、異なる大きさの服（例えば大人と子供の衣服又は上着や半袖など）を掛けて干す時、洗濯物を平らに干すために異なる規格のハンガーが必要であり、複数の大きさが異なるハンガーを買うと、家で使う時に収納が困難になり、また、ハンガーを持って外出する時、携帯する物が増加してスペースもかなりかかり、外出に非常に不便である。
従って、既存技術の携帯に便利なハンガーを更に改善し、ハンガーの敏活さと便利さを向上させる必要がある。
【先行技術文献】
【特許文献】
【０００３】
【特許文献１】中国特許出願公開第１０８６０６６０３号明細書
【発明の概要】
【発明が解決しようとする課題】
【０００４】
本発明は調節可能且つ携帯に便利なハンガーを提供し、既存技術にある上記の欠点を解消することを目的とする。
【課題を解決するための手段】
【０００５】
本発明による実施例の調節可能且つ携帯に便利なハンガーは、ハンガー本体を含み、前記ハンガー本体の上端面には固定ブロックが固定的に設置され、前記固定ブロックの中には両側に貫通している回転チャンバが設置され、前記回転チャンバと外部空間との間には開き溝が連通して設置され、前記開き溝の中には固定ロッドが固定的に設置され、前記固定ロッドにはフックが回転できるように設置され、前記フックが前記開き溝の中に回転できるように折り畳まれており、前記ハンガー本体の中には上方に開口しており、且つ外部空間と連通している押し溝が設置され、前記押し溝の中には上端が前記回転チャンバの中に伸びているスプラインスリーブがスライドできるように設置され、前記回転チャンバの中の前記スプラインスリーブの上端面には押しブロックが固定的に設置され、前記押し溝の中の前記スプラインスリーブには押し出し板が回転できるように設置され、前記押し出し板の上端面と前記押し溝の上端壁との間には両側が対称である伸縮ばねが固定的に設置され、前記押し溝の外側には解錠装置が設置され、前記解錠装置が前記押し出し板と当接することができ、前記押し溝の外側には両側が対称である昇降溝が設置され、前記昇降溝の中にはロックブロックがスライドできるように設置され、前記ロックブロックの下端面は歯状であり、前記ロックブロックの上端面と前記解錠装置とが固定的に連結され、前記昇降溝の下側には調節溝が連通して設置され、前記調節溝の中には前記ロックブロックと噛み合って連結されている調節ブロックがスライドできるように設置され、両側の前記調節溝の間には調節装置が設置され、前記調節装置と前記調節ブロックとが固定的に連結され、前記調節装置の上端が前記スプラインスリーブと連結されることができ、前記調節溝の下側と外部空間とを連通しているガイドスライド溝が設置され、前記調節ブロックの下端面には下端が前記ガイドスライド溝を貫通しているガイドスライドブロックが固定的に設置され、両側の前記ガイドスライドブロックの下端にはそれぞれ衣服掛けロッドとぶら下がりロッドとが固定的に連結され、前記衣服掛けロッドと前記ぶら下がりロッドとの間がスライドできるように連結され、前記衣服掛けロッド及び前記ぶら下がりロッドにはいずれも上方に開口した掛け溝が固定的に設置される。
【０００６】
さらなる技術方案には、前記解錠装置は、両側が対称であり、且つ前記押し溝と連通しているスライドロッド溝を含み、前記スライドロッド溝の中には連結スライドロッドがスライドできるように設置され、前記連結スライドロッドの上端面には復帰部品が固定的に設置され、前記スライドロッド溝と前記調節溝との間には解錠スライド溝が連通して設置され、前記解錠スライド溝の中には解錠固定ロッドがスライドできるように設置され、前記解錠固定ロッドの中には水平に貫通している斜面溝が設置され、前記斜面溝が前記連結スライドロッドのうち前記押し溝から離れている一端と当接しており、前記解錠固定ロッドの上端面と前記解錠スライド溝の上端壁との間には連結ばねが固定的に設置され、前記解錠固定ロッドの下端が前記調節溝の中に伸びており、且つ前記ロックブロックと固定的に連結される。
【０００７】
さらなる技術方案には、前記調節装置は噛み合いチャンバを含み、前記噛み合いチャンバと前記押し溝との間にはスプライン回転溝が連通して設置され、前記噛み合いチャンバの中には上端が前記スプライン回転溝の中に伸びており、且つ前記スプラインスリーブとスプラインにより連結されることができるスプライン軸が回転できるように設置され、前記噛み合いチャンバの中の前記スプライン軸には噛み合いギヤが固定的に設置され、前記噛み合いチャンバの片側にはプッシュ溝が連通して設置され、前記プッシュ溝の中には前記噛み合いギヤと噛み合って連結されている推し動かしラックがスライドできるように設置され、前記プッシュ溝と片側の前記調節溝との間には連結溝が連通して設置され、前記連結溝の中には前記推し動かしラックと同じ側の前記調節ブロックとを固定的に連結する連結ブロックがスライドできるように設置され、前記噛み合いチャンバのうち前記プッシュ溝から離れている片側にはプッシュチャンバが連通して設置され、前記プッシュチャンバの中には前記噛み合いギヤと噛み合って連結されている連結ラックがスライドできるように設置され、前記プッシュチャンバと反対側の前記調節溝との間にはスライド溝が連通して設置され、前記スライド溝の中には前記連結ラックと同じ側の前記調節ブロックとを固定的に連結する固定連結ブロックがスライドできるように設置される。
【発明の効果】
【０００８】
本発明の有益な効果は：本発明は構成が簡単で、操作が便利であり、フックが収縮でき、それによりハンガーが取るスペースを減らし、その他、衣服掛けロッドとぶら下がりロッドからなるハンガーは伸縮性があり、初期状態に折り畳まれているハンガーの大きさも減らし、ハンガーを使用する時、洗濯物のサイズ及び干し乾かす区域の大きさによりハンガーを調節することができ、ハンガーの使用範囲を広げ、携帯且つ使用に便利である。
【図面の簡単な説明】
【０００９】
【図１】図１は本発明の調節可能且つ携帯に便利なハンガーの内部全体構成概略図である；
【図２】図２は本発明の図１の「Ａ」の拡大構成概略図である；
【図３】図３は本発明の図１の「Ｂ−Ｂ」方向の構成概略図である；
【図４】図４は図１の展開全体構成概略図である。
【発明を実施するための形態】
【００１０】
下記に図１−４を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１１】
図１−４を参照し、本発明による実施例の調節可能且つ携帯に便利なハンガーは、ハンガー本体１０を含み、前記ハンガー本体１０の上端面には固定ブロック１１が固定的に設置され、前記固定ブロック１１の中には両側に貫通している回転チャンバ１２が設置され、前記回転チャンバ１２と外部空間との間には開き溝１３が連通して設置され、前記開き溝１３の中には固定ロッド１４が固定的に設置され、前記固定ロッド１４にはフック１５が回転できるように設置され、前記フック１５が前記開き溝１３の中に回転できるように折り畳まれており、前記ハンガー本体１０の中には上方に開口しており、且つ外部空間と連通している押し溝１６が設置され、前記押し溝１６の中には上端が前記回転チャンバ１２の中に伸びているスプラインスリーブ１７がスライドできるように設置され、前記回転チャンバ１２の中の前記スプラインスリーブ１７の上端面には押しブロック１８が固定的に設置され、前記押し溝１６の中の前記スプラインスリーブ１７には押し出し板１９が回転できるように設置され、前記押し出し板１９の上端面と前記押し溝１６の上端壁との間には両側が対称である伸縮ばね２０が固定的に設置され、前記押し溝１６の外側には解錠装置１００が設置され、前記解錠装置１００が前記押し出し板１９と当接することができ、前記押し溝１６の外側には両側が対称である昇降溝２８が設置され、前記昇降溝２８の中にはロックブロック２９がスライドできるように設置され、前記ロックブロック２９の下端面は歯状であり、前記ロックブロック２９の上端面と前記解錠装置１００とが固定的に連結され、前記昇降溝２８の下側には調節溝３０が連通して設置され、前記調節溝３０の中には前記ロックブロック２９と噛み合って連結されている調節ブロック３１がスライドできるように設置され、両側の前記調節溝３０の間には調節装置２００が設置され、前記調節装置２００と前記調節ブロック３１とが固定的に連結され、前記調節装置２００の上端が前記スプラインスリーブ１７と連結されることができ、前記調節溝３０の下側と外部空間とを連通しているガイドスライド溝３８が設置され、前記調節ブロック３１の下端面には下端が前記ガイドスライド溝３８を貫通しているガイドスライドブロック３９が固定的に設置され、両側の前記ガイドスライドブロック３９の下端にはそれぞれ衣服掛けロッド４１とぶら下がりロッド４０とが固定的に連結され、前記衣服掛けロッド４１と前記ぶら下がりロッド４０との間がスライドできるように連結され、前記衣服掛けロッド４１及び前記ぶら下がりロッド４０にはいずれも上方に開口した掛け溝４２が固定的に設置される。
【００１２】
有益的な又は例示のように、前記解錠装置１００は、両側が対称であり、且つ前記押し溝１６と連通しているスライドロッド溝２１を含み、前記スライドロッド溝２１の中には連結スライドロッド２２がスライドできるように設置され、前記連結スライドロッド２２の上端面には復帰部品２３が固定的に設置され、前記スライドロッド溝２１と前記調節溝３０との間には解錠スライド溝２４が連通して設置され、前記解錠スライド溝２４の中には解錠固定ロッド２５がスライドできるように設置され、前記解錠固定ロッド２５の中には水平に貫通している斜面溝２７が設置され、前記斜面溝２７が前記連結スライドロッド２２のうち前記押し溝１６から離れている一端と当接しており、前記解錠固定ロッド２５の上端面と前記解錠スライド溝２４の上端壁との間には連結ばね２６が固定的に設置され、前記解錠固定ロッド２５の下端が前記調節溝３０の中に伸びており、且つ前記ロックブロック２９と固定的に連結される。
【００１３】
有益的な又は例示のように、前記調節装置２００は噛み合いチャンバ３２を含み、前記噛み合いチャンバ３２と前記押し溝１６との間にはスプライン回転溝４６が連通して設置され、前記噛み合いチャンバ３２の中には上端が前記スプライン回転溝４６の中に伸びており、且つ前記スプラインスリーブ１７とスプラインにより連結されることができるスプライン軸３３が回転できるように設置され、前記噛み合いチャンバ３２の中の前記スプライン軸３３には噛み合いギヤ３４が固定的に設置され、前記噛み合いチャンバ３２の片側にはプッシュ溝３５が連通して設置され、前記プッシュ溝３５の中には前記噛み合いギヤ３４と噛み合って連結されている推し動かしラック３６がスライドできるように設置され、前記プッシュ溝３５と片側の前記調節溝３０との間には連結溝４７が連通して設置され、前記連結溝４７の中には前記推し動かしラック３６と同じ側の前記調節ブロック３１とを固定的に連結する連結ブロック３７がスライドできるように設置され、前記噛み合いチャンバ３２のうち前記プッシュ溝３５から離れている片側にはプッシュチャンバ４３が連通して設置され、前記プッシュチャンバ４３の中には前記噛み合いギヤ３４と噛み合って連結されている連結ラック４４がスライドできるように設置され、前記プッシュチャンバ４３と反対側の前記調節溝３０との間にはスライド溝４８が連通して設置され、前記スライド溝４８の中には前記連結ラック４４と同じ側の前記調節ブロック３１とを固定的に連結する固定連結ブロック４５がスライドできるように設置される。
【００１４】
初期状態の時、前記フック１５を収縮して前記ハンガー１０と当接させ、前記衣服掛けロッド４１と前記ぶら下がりロッド４０とがスライドできるように連結され、前記調節ブロック３１と前記ロックブロック２９とがロックされる。
【００１５】
装置が作動する時、前記固定ロッド１４を回って手動で前記フック１５を時計回りに回し、前記フック１５を外側に置かれたロープ又は竿掛けに掛け、前記押しブロック１８を下へ押し、これにより前記押し出し板１９が下降して前記連結スライドロッド２２を押して前記スライドロッド溝２１に沿って逆方向へスライドさせ、それにより前記解錠固定ロッド２５が上昇し、前記ロックブロック２９が前記調節ブロック３１との噛合から離脱して前記調節ブロック３１を解錠し、この時、前記押し出し板１９の下端が前記押し溝１６と当接しており、前記スプラインスリーブ１７と前記スプライン軸３３とがスプラインにより連結され、そして俯角で前記押しブロック１８を時計回りに回転させ、それにより前記噛み合いギヤ３４が前記押しブロック１８とともに回転し、それにより前記推し動かしラック３６と前記連結ラック４４とが逆方向に移動し、それにより前記調節ブロック３１が前記衣服掛けロッド４１及び前記ぶら下がりロッド４０を連動させて逆方向に移動させ、洗濯物の大きさにより前記衣服掛けロッド４１と前記ぶら下がりロッド４０のうち前記噛み合いチャンバ３２から離れている一端との間の距離を調節し、調整し終わった後で前記押しブロック１８を放し、それにより前記押し出し板１９が前記伸縮ばね２０の作用の下で上昇し、それにより前記スプラインスリーブ１７が前記スプライン軸３３との連結から離脱し、また前記連結スライドロッド２２が前記復帰部品２３の作用により向かい合って移動して初期位置に戻り、それにより前記解錠固定ロッド２５が前記推し動かしラック３６の作用の下で下降して前記ロックブロック２９と前記調節ブロック３１とをロックし、前記調節ブロック３１の位置を固定し、ハンガーの安定性を増やす。
【００１６】
本発明の有益な効果は：本発明は構成が簡単で、操作が便利であり、フックが収縮でき、それによりハンガーが取るスペースを減らし、その他、衣服掛けロッドとぶら下がりロッドからなるハンガーは伸縮性があり、初期状態に折り畳まれているハンガーの大きさも減らし、ハンガーを使用する時、洗濯物のサイズ及び干し乾かす区域の大きさによりハンガーを調節することができ、ハンガーの使用範囲を広げ、携帯且つ使用に便利である。
【００１７】
当業者は明確できるのは、本発明の総体精神及び構想から離脱しない限り、以上の実施例に対して各種の変型を行うことができる。それらの変型はいずれも本発明の保護範囲に含む。本発明の保護方案は発明に添付した特許請求の範囲を基準とするべきである。
【図１】
2020151434.tif 000003
【図２】
2020151434.tif 000004
【図３】
2020151434.tif 000005
【図４】
2020151434.tif 000006